(57)【要約】新規なキシラン誘導体と担体から構成される光学異性体用分離剤を提供する。具体的には、キシランの水酸基が、以下の（Ｉ）または（ＩＩ）で示される基で置換されたキシラン−フェニルカルバメート誘導体と担体から構成される、光学異性体用分離剤を提供する。2016182083.tif 000016（式（Ｉ）において、Ｒ１はハロゲンまたは炭素数１〜５のアルキル基であり、Ｒ１の置換位置はメタ位またはパラ位である。式（ＩＩ）において、Ｒ２及びＲ３はそれぞれ独立して、ハロゲンまたは炭素数１〜５のアルキル基であり、Ｒ２とＲ３は異なる基である。）
2016182083.tif 000002
【特許請求の範囲】
【請求項１】
キシランの水酸基が、以下の（Ｉ）または（ＩＩ）で示される基で置換されたキシラン−フェニルカルバメート誘導体と担体から構成される、光学異性体用分離剤。
【化１】
2016182083.tif 000015
（式（Ｉ）において、Ｒ１はハロゲンまたは炭素数１〜５のアルキル基であり、Ｒ１の置換位置はメタ位またはパラ位である。式（ＩＩ）において、Ｒ２及びＲ３はそれぞれ独立して、ハロゲンまたは炭素数１〜５のアルキル基であり、Ｒ２とＲ３は異なる基である。）
【請求項２】
キシランの水酸基を置換している基が、式（Ｉ）で示される基であり、Ｒ１が、炭素数１〜５のアルキル基である、請求項１に記載の光学異性体用分離剤。
【請求項３】
Ｒ１の置換位置がメタ位であり、Ｒ１が、メチル基またはエチル基である、請求項２に記載の光学異性体用分離剤。
【請求項４】
キシランの水酸基を置換している基が、式（ＩＩ）で示される基であり、式（ＩＩ）におけるＲ２がハロゲンであり、Ｒ３が炭素数１〜５のアルキル基である、請求項１に記載の光学異性体用分離剤。
【請求項５】
Ｒ２が塩素であり、Ｒ３がメチル基またはエチル基である、請求項４に記載の光学異性体用分離剤。
【請求項６】
担体がシリカゲルである、請求項１〜５のいずれか一項に記載の光学異性体用分離剤。
【発明の詳細な説明】
【技術分野】
【０００１】
本発明は光学異性体用分離剤に関し、キシランの水酸基が特定の構造を有するカルバメート誘導体で置換された構造を有する光学異性体用分離剤に関する。
【背景技術】
【０００２】
光学異性体は、医薬やその原料として用いられる。このような生体に作用させる用途では、光学異性体は、通常は一方の光学異性体のみが用いられ、非常に高い光学純度が要求される。このような高い光学純度を要する光学異性体の製造方法としては、光学分割能を有する光学異性体用分離剤を収容するカラムを、液体クロマトグラフィー、疑似移動床クロマトグラフィー及び超臨界流体クロマトグラフィー等のクロマトグラフィーにおいて用いることによって、ラセミ体のような光学異性体の混合物から一方の光学異性体を分離する方法が知られている。【０００３】
光学異性体用分離剤には、光学活性な部位を有する高分子を用いることができる。このような光学異性体用分離剤は、通常、シリカゲル等の担体とその表面に担持される前記高分子とから構成され、カラム管に収容されて光学分割に用いられる。
光学活性な部位を有する高分子としては、従来から多糖やその多糖の水酸基がアルキル置換フェニルカルバメートで置換された多糖誘導体が知られている（特許文献１）。
その多糖としては、セルロース、アミロースに加え、キトサンを用いたものも知られている。
一方、多糖としてキシランを用い、その水酸基を３，５−ジメチルフェニルカルバメートで置換して得た誘導体や、３，５−ジクロロフェニルカルバメートで置換して得た誘導体を光学異性体用分離剤として利用することも知られている（非特許文献１）。
【先行技術文献】
【特許文献】
【０００４】
【特許文献１】特開昭６３−１７８１０１号公報
【非特許文献】
【０００５】
【非特許文献１】Y. Okamoto 他、Reactive & Functional Polymers 37 (1998) 183-188
【発明の概要】
【発明が解決しようとする課題】
【０００６】
非特許文献１に記載の光学異性体用分離剤では、用いられたフェニルカルバメートの種類は３，５−ジメチルフェニルカルバメートと、３，５−ジクロロフェニルカルバメートのみであり、キシランの水酸基を置換するフェニルカルバメート基について、フェニル基に他の置換基が置換された高分子を用いた場合については、検討が行われていない。
そこで本発明では、キシランの水酸基を、上記の置換基を有するフェニルカルバメート基とは異なる他の置換基を有するフェニルカルバメート基で置換して得られる新規なキシラン−フェニルカルバメート誘導体と、担体から構成される光学異性体用分離剤を提供することを課題とする。
【課題を解決するための手段】
【０００７】
本発明者らは、上記課題を解決すべく鋭意研究を重ねた結果、これまでに知られていなかった、キシランの水酸基を、３，５−ジメチルフェニルカルバメートや３，５−ジクロロフェニルカルバメートとは異なる他の置換基を有するフェニルカルバメート基で置換して得たキシラン誘導体が、従来のキシラン−３，５−ジメチルフェニルカルバメート誘導体や、キシラン−３，５−ジクロロフェニルカルバメート誘導体よりも、特定のラセミ体に対して優れた光学分割能を有することを見出し、本発明を完成させた。【０００８】
すなわち、本発明は以下のとおりである。
［１］  キシランの水酸基が、以下の（Ｉ）または（ＩＩ）で示される基で置換されたキシラン−フェニルカルバメート誘導体と担体から構成される、光学異性体用分離剤。
【化１】
2016182083.tif 000003
（式（Ｉ）において、Ｒ１はハロゲンまたは炭素数１〜５のアルキル基であり、Ｒ１の置換位置はメタ位またはパラ位である。式（ＩＩ）において、Ｒ２及びＲ３はそれぞれ独立して、ハロゲンまたは炭素数１〜５のアルキル基であり、Ｒ２とＲ３は異なる基である。）
［２］  キシランの水酸基を置換している基が、式（Ｉ）で示される基であり、Ｒ１が、炭素数１〜５のアルキル基である、［１］に記載の光学異性体用分離剤。
［３］  Ｒ１の置換位置がメタ位であり、Ｒ１がメチル基またはエチル基である、［２］に記載の光学異性体用分離剤。
［４］  キシランの水酸基を置換している基が式（ＩＩ）で示される基であり、式（ＩＩ）におけるＲ２がハロゲンであり、Ｒ３が炭素数１〜５のアルキル基である、［１］に記載の光学異性体用分離剤。
［５］  Ｒ２が塩素であり、Ｒ３がメチル基またはエチル基である、［４］に記載の光学異性体用分離剤。
［６］  担体がシリカゲルである、［１］〜［５］のいずれかに記載の光学異性体用分離剤。
【発明の効果】
【０００９】
本発明によれば、特定のラセミ体について良好な分離能力を有する、光学異性体用分離剤を提供することができる。
【図面の簡単な説明】
【００１０】
【図１】８０℃  ＤＭＳＯ−ｄ６における、キシラン−３−メチルフェニルカルバメート誘導体の１Ｈ−ＮＭＲスペクトルを示す図である。
【図２】実施例１で作製した光学異性体用分離剤を用いて、特定のラセミ体を分離して得られたクロマトグラムを示す図である。
【図３】実施例２、４、および比較例３で作製した光学異性体用分離剤を用いて、特定のラセミ体を分離して得られたクロマトグラムを示す図である。
【発明を実施するための形態】
【００１１】
本発明の光学異性体用分離剤は、キシランの水酸基が、以下の（Ｉ）または（ＩＩ）で示される基で置換されたキシラン−フェニルカルバメート誘導体と担体とから構成されるものである。
【化２】
2016182083.tif 000004
（式（Ｉ）において、Ｒ１はハロゲンまたは炭素数１〜５のアルキル基であり、Ｒ１の置換位置はメタ位またはパラ位である。）
【化３】
2016182083.tif 000005
（式（ＩＩ）において、Ｒ２及びＲ３はそれぞれ独立して、ハロゲンまたは炭素数１〜５のアルキル基であり、Ｒ２とＲ３は異なる基である。）
【００１２】
本発明で用いるキシランは、β−１，４−キシラン、β−１，３−キシランのいずれあってもよく、これらの混合物でもよい。
キシランの数平均重合度（１分子中に含まれるピラノース環の平均数）は、好ましくは５以上、より好ましくは１０以上であり、特に上限はないが、１０００以下であることが取り扱いの容易さの点で好ましく、より好ましくは５〜１０００、更に好ましくは１０〜１０００、特に好ましくは１０〜５００である。
上記のキシラン−フェニルカルバメート誘導体において、キシランの水酸基について、未反応のものがあってもよく、また、本発明の効果を損なわない限り、他の置換基で置換されてもよい。その割合としては全水酸基の中で概ね２０％以下である態様を挙げることができる。
【００１３】
前記式（Ｉ）または（ＩＩ）で表される置換基を有するフェニルカルバメート基により、キシランの水酸基の水素原子を置換する方法については、以下のような方法が挙げられる。
芳香族環上の水素が上記式（Ｉ）に記載のようにＲ１で置換されたフェニルイソシアネート化合物、または上記式（ＩＩ）に記載のように、Ｒ２及びＲ３で置換されたフェニルイソシアネート化合物を、塩化リチウムを溶解させたＮ，Ｎ−ジメチルアセトアミド、Ｎ−メチル−２−ピロリドン及び１，３−ジメチル−２−イミダゾリジノンで例示されるアミド系溶媒に溶解させ、この溶液にキシランを加え、適当な温度及び時間（２０〜１００℃、１〜２４時間）で反応を起こさせることで、フェニルイソシアネート化合物のイソシアネート基とキシランの水酸基とを反応させる。
上記アミド系溶媒の他にも、例えばピリジンを同時に用いることもできる。
【００１４】
上記の式（Ｉ）において、ハロゲンとしては塩素、臭素またはフッ素を挙げることができ、塩素であることが好ましい。また、炭素数１〜５のアルキル基として、メチルまたはエチルであることが好ましい。
また、Ｒ１は、メタ位またはパラ位に位置するが、メタ位である方が、特定の光学異性体の光学分割能に優れる。
また、Ｒ１は、炭素数１〜５のアルキル基であることが、特定の光学異性体の光学分割能に優れるという観点から好ましい。
【００１５】
式（ＩＩ）において、ハロゲンとしては塩素、臭素またはフッ素を挙げることができ、塩素であることが好ましい。また、炭素数１〜５のアルキル基として、メチルまたはエチルであることが好ましい。
Ｒ２とＲ３は同一の基ではなく、Ｒ２またはＲ３のどちらかの基がハロゲンである場合、残りの基は炭素数１〜５のアルキル基であることが、特定の光学異性体の光学分割能に優れるという観点から好ましい。
具体的には、Ｒ２またはＲ３のいずれかにおいて、ハロゲンとして塩素が置換し、ハロゲンではない基としてメチル基またはエチル基が置換していることが好ましい。例えば、Ｒ２がハロゲンであることが好ましく、塩素であることがより好ましい。また、Ｒ３が炭素数１〜５のアルキル基であることが好ましく、メチル基であることがより好ましい。
【００１６】
キシラン誘導体を担持するために用いる担体としては、多孔質有機担体又は多孔質無機担体が挙げられ、好ましくは多孔質無機担体を挙げることができる。多孔質有機担体として適当なものは、ポリスチレン、ポリ（メタ）アクリルアミド、ポリ（メタ）アクリレート等から選択される高分子物質であり、多孔質無機担体として適当なものは、シリカゲル、アルミナ、ジルコニア、チタニア、マグネシア、ガラス、カオリン、酸化チタン、ケイ酸塩、ヒドロキシアパタイトなどである。好ましい担体はシリカゲル、アルミナ、又はガラスである。
上記担体について、その表面処理を行うことにより、担体自体への分離対象物質の過剰な吸着を抑制できる。表面処理剤としては、アミノプロピルシランのようなシランカップリング剤や、チタネート系・アルミネート系カップリング剤を挙げることができる。
【００１７】
本発明で用いることができる担体の平均粒径は、通常０．１〜１０００μｍ、好ましくは１〜５０μｍである。担体の平均孔径は、通常１０〜１００００Å、好ましくは５０〜１０００Åである。
また、担体の比表面積は、通常５〜１０００ｍ２／ｇ、好ましくは１０〜５００ｍ２／ｇである。
本発明の光学異性体用分離剤の平均粒径は、顕微鏡画像を用いて測定する装置、例えばＭａｌｖｅｒｎ社製Ｍａｓｔｅｒｓｉｚｅｒ ２０００Ｅにより測定することができる。
【００１８】
本発明の光学異性体用分離剤において、担体に担持させるキシラン−フェニルカルバメート誘導体の量は、担体に対して１〜１００重量％である態様を挙げることができ、５〜５０重量％であることが好ましい。
この担持量は、熱重量分析によって求めることができる。
上記のキシラン−フェニルカルバメート誘導体を担体に担持させる方法は化学的方法でも物理的方法でもよい。物理的方法としては、キシラン−フェニルカルバメート誘導体を可溶性の溶剤に溶解させ、担体と良く混合し、減圧または加温下、気流により溶剤を留去させる方法や、キシラン−フェニルカルバメート誘導体を可溶性の溶剤に溶解させ、担体と良く混合した後、キシラン−フェニルカルバメート誘導体に対し不溶性の溶剤に分散させることによって可溶性溶剤を拡散させてしまう方法もある。この様にして得られた分離剤は、加熱、溶媒の添加、洗浄などの適当な処理を行うことによって、その分離能を改善することも可能である。
【００１９】
本発明の光学異性体用分離剤は、公知のサイズを有するカラムに公知の方法により充填して、ＨＰＬＣ用のカラムとして用いることができる。
本発明の光学異性体用分離剤を充填したカラムを用いてＨＰＬＣで光学異性体を分離する際の、ＨＰＬＣの流速は適宜調整して用いることができ、０．１〜５ｍｌ／ｍｉｎ程度の態様を挙げることできる。
【００２０】
本発明の光学異性体用分離剤は、ＨＰＬＣ以外にもガスクロマトグラフィー用、電気泳動用、特にキャピラリーエレクトロクロマトグラフィー用（ＣＥＣ用）、ＣＺＥ（キャピラリーゾーン電気泳動）法、ＭＥＫＣ（ミセル動電クロマト）法のキャピラリーカラムの充填剤としても使用することができる。
【実施例】
【００２１】
以下、実施例を参照して本発明を具体的に説明する。ただし、本発明は以下の実施例の態様に制限されない。【００２２】
＜実施例１＞
ブナ材由来のキシラン（Sigma-Aldrich）を６０℃の水に分散し、アセトン不溶性画分としてキシランを回収することで予備処理を行った。
以下の反応式で示すように、予備処理を行ったキシランと、メタ位にメチルが置換したフェニルイソシアネートの超過量とを、８０℃の溶液（ジメチルアセトアミド、塩化リチウム、乾燥ピリジン）中で反応させ、キシランの水酸基をカルバモイル化し、以下の（１）で示されるメタ−メチルフェニルカルバメート基が導入された、キシラン−フェニルカルバメート誘導体（ａ）を得た。
【化４】
2016182083.tif 000006
得られたキシラン−フェニルカルバメート誘導体の１Ｈ−ＮＭＲスペクトルを図１に示す。１Ｈ−ＮＭＲスペクトル（５００ＭＨｚ）は、Brucker-500 Spectrometer (Brucker, USA)を用いて得た。
【化５】
2016182083.tif 000007
【００２３】
（１）で示される置換基を有するフェニルカルバメート基で置換されたキシラン−フェニルカルバメート誘導体について熱重量分析を行った結果を以下の表１に示す。
【表１】
2016182083.tif 000008
【００２４】
＜実施例２〜７＞
置換基の種類が異なるフェニルイソシアネートを用いること以外は実施例１と同様の手順により、以下の式（２）〜（７）で示される置換基を有するフェニルカルバメート基が導入されたキシラン−フェニルカルバメート誘導体（ｂ）〜（ｇ）を得た。
【化６】
2016182083.tif 000009
【００２５】
＜比較例１〜４＞
置換基の種類が異なるフェニルイソシアネートを用いること以外は実施例１と同様の手順により、以下の式（８）〜（１２）で示さる置換基を有するフェニルカルバメート基が導入された比較例１〜４のキシラン−フェニルカルバメート誘導体（ｈ）〜（ｋ）を得た。
【化７】
2016182083.tif 000010
【００２６】
実施例及び比較例で作製した、各キシラン−フェニルカルバメート誘導体の1H NMRデータ（ＤＭＳＯ−ｄ６、８０℃）を以下に示す。キシラン−フェニルカルバメート誘導体（ｊ）と（ｋ）については、公知であるのでデータは省略する。
（ｂ）: 1H NMR (DMSO‐d6):δ3.1-5.7 (glucose protons,6H), 6.6‐7.9 (aromatic,8H), 9.2‐10.1 (NH,2H).
（ｃ）: 1H NMR (DMSO‐d6):δ3.2‐5.3 (glucose protons, 6H), 6.6-7.7(aromatic,8H), 9.0-9.8 (NH,2H).
（ｄ）: 1H NMR (DMSO‐d6):δ3.1‐5.2 (glucose protons, 6H), 6,9-7.8(aromatic,8H), 9.1-9.9 (NH,2H).
（ｅ）: 1H NMR (DMSO‐d6):δl.8‐2.5 (CH3,6H), 3.1‐5.3 (glucose protons,6H), 6.6‐7.6 (aromatic,8H), 8.7-9.6 (NH, 2H).
（ｆ）: 1H NMR (DMSO‐d6): δ0.7‐1.4(CH3,6H), 2.1-2.7(CH2,4H), 3.1-5,4(glucose protons, 6H), 6.6-7.8 (aromatic, 8H), 8.7‐9.8(NH,2H).
（ｇ）: 1H NMR (DMSO‐d6):δl.9-2.4(CH3,6H), 3.1-5,3 (glucose protons, 6H), 6.8-7,9 (aromatic,6H) 9.1-10.0(NH,2H).
（ｈ）: 1H NMR (DMSO‐d6):δ3.1-5.6 (glucose protons, 6H), 7.2‐8.5(aromatic,8H), 9.7‐10.5 (NH,2H).
（ｉ）: 1H NMR (DMSO‐d6):δ3.4-4.0 (CH3,6H),3.1-5.2(glucose protons, 6H), 6.3-7.5(aromatic, 8H), 8.6-9.4 (NH,2H).【００２７】
＜光学異性体用分離剤の調製及び分析カラムの作製＞
実施例１で作製したキシラン−フェニルカルバメート誘導体（ａ）（０．３５ｇ）を、テトラヒドロフラン（８ｍＬ）に完全に溶解した後、予めアミノプロピルトリエトキシシランで表面処理を行ったシリカゲル（平均粒径７μｍ、平均孔径１００ｎｍ）（１．４０ｇ）の表面にコーティングして、光学異性用分離剤−１を得た。
光学異性体用分離剤−１を、ステンレススチール製のカラム（25 cm×0.20cm i.d.）に、スラリー法によって充填してカラム−１を得た。
カラム−１の理論段数は、ベンゼンを対象として、hexane/2-propanol (90/10, v/v)混合物を溶離液として用い、流速を０．１ｍｌ／ｍｉｎ．に設定して測定したとき、１５００−３０００であった。
デッド時間（ｔ０）は、非保持物質として1,3,5-tri-tert-butylbenzeneを用いて測定を行った。
ＨＰＬＣ装置として、UV/Vis (Jasco UV-2070)及び円二色性検出器(JASCO CD-2095)付のJASCO PU-2089クロマトグラフを用いた。
サンプル(ラセミ体（２ｍｇ／ｍＬ）の溶液)のクロマトグラフシステムへの注入は、Intelligent sampler (JASCO AS-2055)を用いて行った。
以下の構造を有するラセミ体を分離して得られたクロマトグラムを図２に示す。【００２８】
【化８】
2016182083.tif 000011
【００２９】
光学異性体用分離剤−１と同様に、実施例２〜７、比較例１〜４で得たキシラン−フェニルカルバメート誘導体（ｂ）〜（ｋ）を用いて、光学異性体用分離剤−２〜１１を得た。そして、各光学異性体用分離剤を、実施例１のものと同様にステンレススチール製のカラムに充填した。
光学異性体用分離剤−１〜１１が充填されたカラム−１〜１１を用い、以下の構造を有するラセミ体１及び２を分離した。各カラムを用いた分析では、溶離液としてhexane/2-propanol (90/10, v/v)を用い、流速を０．１ｍＬ／min.とし、検出波長は２５４nmとした。
【化９】
2016182083.tif 000012
【００３０】
各カラムを用いてラセミ体１及び２の分離を行って得た結果を表２及び３に示す。
表中に示す化合物の不斉識別能力（分離係数α値）は以下で示すように、保持係数（k１'）から算出した。
また、実施例２、４及び比較例３の光学異性体用分離剤を用いたカラムによりラセミ体１を分離して得られたクロマトグラムを図３に示す。【００３１】
保持係数（ｋ１’）
ｋ１’＝［（対掌体の保持時間）−（デッドタイム）］／デッドタイム）
分離係数（α）
α＝（より強く保持される対掌体の保持係数）／（より弱く保持される対掌体の保持係数）【００３２】
【表２】
2016182083.tif 000013
【００３３】
【表３】
2016182083.tif 000014
＊表中、括弧内は、最初に溶出したエナンチオマーの254nmにおける旋光度を示す。【００３４】
表２と３の結果から、極性の置換基を有する比較例１及び２よりも非極性の置換基を有する実施例１〜６の光学異性体用分離剤の方が、ラセミ体１及び２の分離係数が高いことが分かった。【００３５】
表２及び表３のラセミ体２の分離結果について見ると、メチル基が二つ置換している比較例４よりも、メチル基が１つだけ置換している実施例１及び５の方が分離係数が高かった。
またラセミ体１及び２のいずれについても、エチル基がパラ位に置換している実施例６は、実施例１及び５とほぼ同等の分離能力を有していた。【００３６】
表２及び表３の光学異性体用分離剤の中で、フェニルに塩素が置換しているものについて比較を行うと、メタ位に塩素が一つ置換している実施例２＞パラ位に塩素が置換している実施例４＞メタ位に塩素が、パラ位にメチル基が置換している実施例７＞メタ位に塩素が二つ置換している比較例３、の順に、ラセミ体１及び２の分離係数が高かった。【００３７】
表２の実施例１及び５と、実施例２及び４との比較から、フェニルのメタ位に置換基が置換している方が、ラセミ体１及び２の分離能力に優れていることが分かった。【００３８】
また、表２の実施例２と実施例１の比較、および表３の比較例３と比較例４の比較により、電子供与性の置換基であるメチル基を有するものの方が、電子吸引性の置換基である塩素を有するものよりも、ラセミ体１及び２の分離能力に優れていることが分かった。
【産業上の利用可能性】
【００３９】
本発明によれば、特定のラセミ体について、キシランの水酸基が、フェニル基の３，５位が塩素またはメチル基で置換されているフェニルカルバメート基で置換されているキシラン−フェニルカルバメート誘導体よりも優れた分離能力を有する、キシラン−フェニルカルバメート誘導体を用いた光学異性体用分離剤を提供できる。
【図１】
2016182083.tif 000017
【図２】
2016182083.tif 000018
【図３】
2016182083.tif 000019
【国際調査報告】
2016182083.tif 000020
2016182083.tif 000021
2016182083.tif 000022
2016182083.tif 000023